(57)【要約】【課題】作業者がバランスを崩すことなく安全に作業が行なえるようにした三脚脚立を提供する。【解決手段】上端部に天板部４を備え、略ハの字状に開いた前側の梯子状脚体２と、後側の一本の棒状脚体３とを、上端部どうし開閉可能に枢着してなる三脚脚立において、梯子状脚体２又は棒状脚体３の上端部に天板部４より上方に突出する手摺り６を設ける。【選択図】図２
2007177452.tif 000002
【特許請求の範囲】
【請求項１】
上端部に天板部を備え、略ハの字状に開いた前側の梯子状脚体と、後側の一本の棒状脚体とを、上端部どうし開閉可能に枢着してなる三脚脚立において、
梯子状脚体又は棒状脚体の上端部に前記天板部より上方に突出する手摺りを設けたことを特徴とする三脚脚立。
【請求項２】
前記手摺りは、梯子状脚体の上端部側を天板部より上方へ所要長さ延長して形成されたものからなることを特徴とする請求項１に記載の三脚脚立。
【請求項３】
前記手摺りは、天板部より上方へ所要長さ突出するように梯子状脚体の上端部に別途に取り付けられたものからなることを特徴とする請求項１に記載の三脚脚立。
【請求項４】
上端部に天板部を備え、略ハの字状に開いた前側の梯子状脚体と、後側の一本の棒状脚体とを、上端部どうし開閉可能に枢着してなる三脚脚立において、
前記天板部より下方へ所要長さ隔たった梯子状脚体の所要部に作業床部を設けたことを特徴とする三脚脚立。
【請求項５】
前記作業床部は、天板部と同程度又はそれより大きく形成されていることを特徴とする請求項４に記載の三脚脚立。
【発明の詳細な説明】
【技術分野】
【０００１】
本発明は、梯子状脚体と一本の棒状脚体とを上端部で開閉可能に枢着してなる三脚脚立に関するものである。
【背景技術】
【０００２】
この種の三脚脚立は例えば特許文献１その他に記載されている。図８は従来の三脚脚立２１を示すもので、この三脚脚立２１は、前側の略ハの字状に開いた梯子状脚体２と、後側の一本の棒状脚体３とを、上端部どうし開閉可能に枢着したもので、梯子状脚体２は、略ハの字状に配置した両側一対の側枠２ａ，２ａ間に踏み桟２ｂを上下複数段に横架することによって形成されると共に、両側枠２ａ，２ａに沿って補強枠２ｃが取り付けられ、この梯子状脚体２の上端部には天板部４が設けられている。また棒状脚体３の下端部には伸縮脚部３ａが取り付けられる。この図８において、５は梯子状脚体１と棒状脚体３とを所定の開脚状態に保持する索体である。
【特許文献１】実開平−１５７８９９号公報
【発明の開示】
【発明が解決しようとする課題】
【０００３】
上記のような三脚脚立２１は、主に園芸作業に使用されるが、梯子状脚体２の上端部に天板部４を備えているものの、作業者がバランスを崩さずに安定した姿勢で作業できるようにするため、天板部４上での作業は業界基準によって禁止されている。しかしながら、従来の三脚脚立２１は、構造的に作業者が比較的容易に天板部４に乗ることができるようになっていることから、脚立使用の際に作業者がうっかり天板部５に両足を乗せた状態で作業をするような時にバランスを崩して、落下したり転倒する事故を引き起こす危険性があった。
【０００４】
本発明は、上記の課題に鑑み、作業者がバランスを崩すことなく安全に作業を行なえるようにした三脚脚立を提供することを目的とする。
【課題を解決するための手段】
【０００５】
上記課題を解決するための手段を、後述する実施形態の参照符号を付して説明すると、請求項１に係る発明は、上端部に天板部４を備え、略ハの字状に開いた前側の梯子状脚体２と、後側の一本の棒状脚体３とを、上端部どうし開閉可能に枢着してなる三脚脚立において、梯子状脚体２又は棒状脚体３の上端部に前記天板部４より上方に突出する手摺り６を設けたことを特徴とする。
【０００６】
請求項２は、請求項１に記載の三脚脚立において、前記手摺り６は、梯子状脚体２の上端部側を天板部４より上方へ所要長さ延長して形成されたものからなることを特徴とする。
【０００７】
請求項３は、請求項１に記載の三脚脚立において、前記手摺り６は、天板部４より上方へ所要長さ突出するように梯子状脚体２の上端部に別途に取り付けられたものからなることを特徴とする。
【０００８】
請求項４に係る発明は、上端部に天板部４を備え、略ハの字状に開いた前側の梯子状脚体２と、後側の一本の棒状脚体３とを、上端部どうし開閉可能に枢着してなる三脚脚立において、前記天板部４より下方へ所要長さ隔たった梯子状脚体２の所要部に作業床部９を設けたことを特徴とする。
【０００９】
請求項５は、請求項４に記載の三脚脚立において、前記作業床部９は、天板部４と同程度又はそれより大きく形成されていることを特徴とする。
【発明の効果】
【００１０】
上記解決手段による発明の効果を、後述する実施形態の参照符号を付して説明すると、請求項１に係る発明の三脚脚立１によれば、梯子状脚体２又は棒状脚体３の上端部に天板部４より上方に突出する手摺り６を設けているから、この三脚脚立１の使用にあたって、脚立１の上端部まで登って作業する場合、作業者Ｍは、例えば、手摺り６の手前側から天板部４の上に足Ｆを置いて脚部Ｌを折り曲げた状態で太股部を手摺り６に押し付けるようにすることによって、バランスを崩さずに安定した姿勢で、安全に作業を行なうことができる。
【００１１】
請求項２に係る発明のように、梯子状脚体２の上端部側を天板部４より上方へ所要長さ延長して手摺り６を形成する場合は、製作にあたって梯子状脚体２の長さを予め長く設定しておけばよいから、製作が容易となる。
【００１２】
請求項３に係る発明のように、別途に形成した手摺り６を梯子状脚体２の上端部に取り付けるようにすれば、既存の三脚脚立をそのまま利用できる利点がある。
【００１３】
請求項４に係る発明の三脚脚立１１によれば、天板部より下方へ所要長さ隔たった梯子状脚体の所要部に作業床部を設けているから、高所作業を行なうような場合、作業者Ｍは脚立１上端部の天板部４まで登らなくても、天板部４の下方にある作業床部９上に足Ｆを置き、しかして例えば脚部Ｌを折り曲げた状態で太股部を天板部４の周辺所要部に押し付けるようにすることにより、バランスを崩すことなく安定した姿勢で安全に作業を行なうことができる。
【００１４】
請求項５に係る発明によれば、作業床部９を天板部４と同程度又はそれより大きく形成することによって、作業者Ｍの足Ｆを安定状態に確実に支持させることができ、より一層安全に作業を行なうことができる。
【発明を実施するための最良の形態】
【００１５】
以下に本発明の好適な実施形態を図面に基づいて説明すると、図１の(a) は本発明に係る三脚脚立１の開脚状態での正面図、(b) は側面図であり、図２は図１に示す三脚脚立１の斜視図であり、図３の(a) は図１に示す三脚脚立１の一部拡大斜視図、(b) は同三脚脚立１の使用状態を示す側面図である。この三脚脚立１は、図８に示す従来の三脚脚立２１と同じ様な構造であって、略ハの字状に開いた前側の梯子状脚体２と、後側の一本の棒状脚体３とを、上端部どうし開閉可能に枢着したもので、梯子状脚体２の上端部に天板部４が設けられ、棒状脚体３の下端部には伸縮脚部３ａが取り付けられている。また三脚脚立１の使用にあたり、梯子状脚体１と棒状脚体４とは索体５によって所定の開脚状態に保持されるようになっている。
【００１６】
この三脚脚立１の構造について詳しく説明すれば、梯子状脚体２は、図１の(a) から分かるように略ハの字状に開いた形状となった左右の側枠部２ａ，２ａと、両側枠部２ａ，２ａ間に一定間隔で複数段に横架された横長矩形枠状の踏み桟２ｂ…と、これらの踏み桟２ｂ…を両側枠部２ａ，２ａとの間でバックアップするように両側枠２ａ，２ａに沿って取り付けられた補強枠２ｃ，２ｃとからなるもので、この梯子状脚体２の上端部には梯子状脚体２と同一平面に沿って天板部４より上方に突出する手摺り６が設けられている。
【００１７】
梯子状脚体２の上端部は、図１の(b) から分かるように棒状脚体３の上端部に対応する部位にあって、この梯子状脚体２の上端部に、左右枠部６ａ，６ａと上枠部６ｂとからなる下向きコ字状の手摺り６が、梯子状脚体２の側枠２ａ，２ａと一体に形成されている。そしてこの手摺り６には天板部４との間に補強枠６ｃが側枠２ａ，２ａを支持するように取り付けられている。尚、ここでは、手摺り６を、左右枠部６ａ，６ａと上枠部６ｂとが下向きコ字状に一体形成されたものから構成しているが、上枠部６ｂを、左右枠部６ａ，６ａとは別体のもので形成し、この別体の上枠部６ｂを左右枠部６ａ，６ａにリベット等によって連結するようにしてもよい。但し、左右枠部６ａ，６ａは、梯子状脚体２を形成する側枠２ａ，２ａの上端部側を所要長さ延長したものとする。
【００１８】
梯子状脚体２の上端部に設けられる天板部４は、矩形状の周枠部４ａと、この周枠部４ａ内に設けられた複数の中枠部４ｂとからなるもので、棒状脚体３の上端部が周枠部４ａの後部側枠部４ａｏに枢着され（枢着部を７で示す）、これによって梯子状脚体２の上端部と棒状脚体３の上端部とが開閉できるようになっている。尚、枢着部７は、図３の(a)
に示すように、周枠部４ａの後部側枠部４ａｏに回転可能に嵌合された管部材７ａからなるもので、この管部材７ａに棒状脚体３の上端部が固着されると共に、管部材７ａと棒状脚体３の上端部とに亘って補強材７ｂが斜めに掛け渡されている。
【００１９】
上記のように構成される三脚脚立１を園芸作業等に使用する際に、脚立１の上端部まで登って作業する場合には、図３の(b) に示すように、作業者Ｍは、手摺り６の手前側から天板部４の上に足Ｆを置いて脚部Ｌを折り曲げた状態で図示のように太股部を手摺り６の上枠部６ｂに押し付けるようにすることによって、作業者Ｍは、バランスを崩さずに安定した姿勢で、安全に作業を行なうことができる。この図３の(b) に示す手摺り６の使用方法は、あくまでの一例であって、他の色々な方法で手摺り６を使用することができる。
【００２０】
梯子状脚体２の上端部に手摺り６を設けるあたり、図１〜図３に示す三脚脚立１では、梯子状脚体２を形成する両側枠２ａ，２ａの上端部側を所要長さ延長するようにしたが、図４に示す実施形態のように、左右枠部６ａ，６ａと上枠部６ｂとからなる、梯子状脚体２とは別に形成した下向きコ字状の手摺り６を、梯子状脚体２の両側枠２ａ，２ａの上端部に取り付けるようにしてもよい。この場合、図４に例示するように、梯子状脚体２の両側枠２ａ，２ａの上端部に連結ピン８，８を一体的に突設しておいて、両連結ピン８，８をパイプ材からなる手摺り６の両側枠２ａ，２ａの下端部側に夫々嵌挿して連結固定するようにすればよい。
【００２１】
図１〜図３に示す手摺り６のように、梯子状脚体２の上端部側を天板部４より上方へ所要長さ延長して手摺り６を形成する場合は、製作にあたって、梯子状脚体２の長さを予め長く設定しておけばよいから、製作的に容易となる。また、図４に示すように、別途に形成した手摺り６を梯子状脚体２の両側枠２ａ，２ａの上端部に取り付ける方式では、既存の三脚脚立をそのまま利用できる利点がある。
【００２２】
図１〜図４に示す実施形態は梯子状脚体２の上端部に手摺り６を設けた場合であるが、この手摺り６は、梯子状脚体２に限るものではなく、棒状脚体３の棒状脚体３の上端部に天板部４より上方に突出するように設けてもよい。
【００２３】
図５及び図６は本発明に係る他の三脚脚立１１を示すもので、図５の(a) は三脚脚立１１の開脚状態での正面図、(b) は側面図であり、図６は同三脚脚立１１の斜視図、図７の(a) は同三脚脚立１１の一部拡大斜視図、(b) は同三脚脚立１１の使用状態を示す側面図である。この三脚脚立１１は、図１〜図４に示す三脚脚立１と殆ど同様な構造であって、略ハの字状に開いた前側の梯子状脚体２と、後側の一本の棒状脚体３とが、上端部どうし開閉可能に枢着されたもので、梯子状脚体２の上端部に天板部４が設けられ、そしてこの天板部４より下方へ隔たった梯子状脚体２の所要部に作業床部９が設けられている。
【００２４】
この三脚脚立１の構造につい更に説明すれば、梯子状脚体２は、図５及び図６に示すように、略ハの字状に開いた形状の左右側枠部２ａ，２ａと、両側枠部２ａ，２ａ間に上端部側の除いてその下方に一定間隔で複数段に横架された横長矩形枠状の踏み桟２ｂ…と、これらの踏み桟２ｂ…を両側枠部２ａ，２ａとの間でバックアップするように両側枠２ａ，２ａに沿って取り付けられた補強枠２ｃ，２ｃと、からなるもので、作業床部９は、梯子状脚体２上端部の天板部４より３段程度下方にある踏み桟を大型化（拡大化）することによって形成されるもので、この作業床部９と天板部４との間には踏み桟２ｂは設けられない。
【００２５】
作業床部９は、図６及び図７から分かるように、天板部４と同じ矩形枠状で且つ天板部４と同じ大きさに形成されたもので、踏み桟２ｂと同様に、梯子状脚体２の左右両側枠部２ａ，２ａと補強枠２ｃ，２ｃとに支持された状態で取り付けられている。この作業床部９は、周枠部９ａとこの周枠部９ａ内に配設された複数の中桟９ｂとからなる。また天板部４は、周枠部４ａとこの周枠部４ａ内に配設された複数の中桟４ｂとからなるもので、梯子状脚体２の左右両側枠部２ａ，２ａと、作業床部９の後端部に立設された左右両支柱部材１０，１０とに保持された状態に取り付けられている。また両支柱部材１０，１０と梯子状脚体２の両側枠部２ａ，２ａに亘って平面視コ字状の補強枠１２が取り付けられている。
【００２６】
また棒状脚体３の上端部は、図７の(a) に示すように、天板部４を形成する周枠部４ａの後部側枠部４ａｏに枢着され、これによって梯子状脚体２の上端部と棒状脚体３の上端部とが開閉できるようになっている。棒状脚体３の枢着部７は、同図(a) に示すように、周枠部４ａの後部側枠部４ａｏに回転可能に嵌合された管部材７ａからなり、この管部材７ａに棒状脚体３の上端部が固着されると共に、管部材７ａと棒状脚体３の上端部とに亘って補強材７ｂが斜めに掛け渡されている。
【００２７】
上記のように構成される三脚脚立１１の使用にあたり、高所作業を行なうような場合、作業者Ｍは、脚立１上端部の天板部４まで登らなくても、図７の(b) に例示するように、天板部４の下方にある作業床部９上に足Ｆを置いて、脚部Ｌを折り曲げた状態で太股部を天板部４の周辺所要部に押し付けるようにすることにより、作業者Ｍは、バランスを崩すことなく安定した姿勢で安全に作業を行なうことができる。尚、図７の(b) に示す作業床部９の使用方法は、あくまでの一例であり、他の色々な方法で作業床部９を利用して作業を行なうことができる。
【００２８】
この作業床部９は、前記のように天板部４と同じ形状で同じ大きさに形成されるから、天板部４と作業床部９との製作にあたっては、１種類のものを製作すればよく、製作コストが安くできる。尚、作業床部９は、天板部４よりも大きく形成してもよいし、また天板部４とは異なった形状に形成してもよい。
【図面の簡単な説明】
【００２９】
【図１】(a) は本発明に係る三脚脚立の開脚状態での正面図であり、(b) は側面図である。
【図２】図１に示す三脚脚立の斜視図である。
【図３】(a) は図１に示す三脚脚立の一部拡大斜視図、(b) は同三脚脚立の使用状態を示す側面図である。
【図４】手摺りを梯子状脚体とは別体に形成して梯子状脚体の上端部に取り付けた場合の三脚脚立を示す斜視図である。
【図５】(a) は本発明に係る他の三脚脚立の開脚状態での正面図、(b) は側面図である。
【図６】図５に示す三脚脚立の斜視図である。
【図７】(a) は同上の三脚脚立の一部拡大斜視図、(b) は同上の三脚脚立の使用状態を示す側面図である。
【図８】従来の三脚脚立を示す斜視図である。
【符号の説明】
【００３０】
１，１１        三脚脚立
２              梯子状脚体
３              棒状脚体
４              天板部
６              手摺り
９              作業床部
【図１】
2007177452.tif 000003
【図２】
2007177452.tif 000004
【図３】
2007177452.tif 000005
【図４】
2007177452.tif 000006
【図５】
2007177452.tif 000007
【図６】
2007177452.tif 000008
【図７】
2007177452.tif 000009
【図８】
2007177452.tif 000010